(57)【要約】【課題】フェルールがハウジングに対して着脱可能であり、また、送信心線と受信心線の入れ替えが可能な多心光ファイバコネクタ及びこれに用いるフェルール取り外し治具を提供する。【解決手段】ハウジング１４の両側面１４ｆ，１４ｇに設けられた嵌入穴１４ｈ，１４ｉと、フェルール１３の両側面１３ｄ，１３ｅに設けられたラッチ１３ｆ，１３ｇとを有してなる着脱機構により、フェルールをハウジングに対して着脱可能とする。また、フェルールの横断面形状及びハウジングの嵌挿穴１４ａの横断面形状を対称形とすることにより、フェルールを１８０度回転して前記嵌挿穴に差し込み可能とする。また、フェルールの一方の表面と他方の表面には、それぞれ異なるマークを付ける。フェルールの取り外し作業には、Ｃ字状に形成され且つ弾性を有する専用のフェルール取り外し治具３１を用いる。【選択図】        図４
2005017419.tif 000002
【特許請求の範囲】
【請求項１】
多心の光ファイバコードの端部に取り付けられたフェルールと、このフェルールを嵌挿する嵌挿穴が設けられたハウジングとを有してなる多心光ファイバコネクタにおいて、
前記ハウジングの両側面に設けられた一対の嵌入穴と、
前記フェルールの両側面に設けられ、前記嵌挿穴への挿入方向と逆方向に向かって外側に広がり且つ弾性を有し、前記嵌挿穴に前記フェルールを差し込んだときに前記嵌入穴に嵌入される一対のラッチとを有してなる着脱機構により、
前記フェルールが前記ハウジングに対して着脱可能となっていることを特徴とする多心光ファイバコネクタ。
【請求項２】
請求項１に記載の多心光ファイバコネクタにおいて、
前記フェルールの横断面形状及び前記嵌挿穴の横断面形状を対称形とすることにより、前記フェルールを１８０度回転して前記嵌挿穴に差し込み可能としたことを特徴とする多心光ファイバコネクタ。
【請求項３】
請求項２に記載の多心光ファイバコネクタにおいて、
前記フェルールの一方の表面と他方の表面には、それぞれ異なるマークが付けられていることを特徴とする多心光ファイバコネクタ。
【請求項４】
請求項１，２又は３に記載の多心光ファイバコネクタに用いられるフェルール取り外し治具であって、Ｃ字状に形成され且つ弾性を有し、両側の先端部が、前記嵌入穴に外側から挿入されて前記ラッチを内側に押し込むことにより、前記ラッチを前記嵌入穴から外すように構成したことを特徴とするフェルール取り外し治具。
【発明の詳細な説明】
【０００１】
【発明の属する技術分野】
本発明は光ＬＡＮ（Ｌｏｃａｌ  Ａｒｅａ  Ｎｅｔｗｏｒｋ）などを構築するために光ファイバ同士を結合するための多心光ファイバコネクタ及びこれに用いるフェルール取り外し治具に関する。
【０００２】
【従来の技術】
例えば、光ＬＡＮを構築するために光ファイバ同士を結合する場合には、多心光ファイバコネクタであるＭＴ−ＲＪ（Ｍｅｃｈａｎｉｃａｌｌｙ  Ｔｒａｎｓｆｅｒａｂｌｅ  Ｓｐｌｉｃｉｎｇ  Ｃｏｎｎｅｃｔｏｒ−Ｒｅｇｉｓｔｅｒｅｄ  Ｊａｃｋ）コネクタが使用される。
【０００３】
図５は従来のＭＴ−ＲＪコネクタの構成を示す斜視図である。図５に示すように、ＭＴ−ＲＪコネクタ１は、ｍｉｎｉ−ＭＴフェルール３とハウジング４とを有してなるものである。フェルール３は多心（２心）の光ファイバコード２の端部に取り付けられており、その先端面３ａには光ファイバコード２の光ファイバ心線２ａ，２ｂの先端が露出し、また、ガイドピン５ａ，５ｂが装着されている。
【０００４】
そして、このフェルール３をハウジング４の嵌挿穴４ａに差し込む（嵌め込む）ことにより、フェルール３とハウジング４とが一体的に結合されている。このとき、フェルール３は一度ハウジング４に装着すると、二度とハウジング４から取り外すことができないようになっている。
【０００５】
なお、ハウジング４にはバネ部４ｂが形成されており、このバネ部４ｂの途中には、アダプタ６の嵌入穴６ｂに嵌入するラッチ４ｃが形成され、先端部にはラッチ４ｃを嵌入穴６ｂから外すためのボタン４ｄが形成されている。また、ハウジング４には、前方にスライドして、ボタン４ｄによるラッチ４ｃの取り外し操作を阻止するためのロックキー４ｅも設けられている。また、図中の８は光ファイバコード２の端部を保護するために同端部に装着されたブーツである。
【０００６】
このようなＭＴ−ＲＪコネクタ１が取り付けられた光ファイバコード２を、他の光ファイバコードと結合する際には、アダプタ６を介してＭＴ−ＲＪコネクタ１と、図示しない他の光ファイバコードが接続されたプラグ７とを結合する。具体的には、横断面形状が凸状に形成されたＭＴ−ＲＪコネクタ１の挿入部を、横断面形状が凸状に形成されたアダプタ６の嵌挿穴６ａに矢印Ａのように一方側から挿入して、ハウジング４のラッチ４ｃをアダプタ６の嵌入穴６ａに嵌入させる。一方、横断面形状が凸状に形成されたプラグ７は、矢印Ｂのように他方側から嵌挿穴６ａに挿入して、プラグ７の図示しないガイド穴にフェルール３のガイドピン５ａ，５ｂを挿入する。
【０００７】
なお、一度フェルールをハウジングに装着したら二度と取り外すことができないような従来の多心光ファイバコネクタ（ＭＴ型）についての規格は、下記の非特許文献１で定められている。
【０００８】
【非特許文献１】
「ＪＩＳ  Ｃ  ５９８１  Ｆ１２形多心光ファイバコネクタ」  平成１０年５月２０日改正  日本規格協会発行
【０００９】
【発明が解決しようとする課題】
従来のＭＴ−ＲＪコネクタ１を使用して光ＬＡＮ接続を行う場合、予め光通信の送信と受信の光ファイバ心線を決めて、配線しなければならない。従来のＭＴ−ＲＪコネクタ１ではフェルール３をハウジング４に嵌め込むと、送信心線と受信心線が決まり、これらを後から変更することができない。
【００１０】
つまり、従来のＭＴ−ＲＪコネクタ１では、フェルール３を一度ハウジング４に装着したら、二度とハウジング４から取り外すことができない。また、フェルール３自体に挿入の方向性があるため、ハウジング４にフェルール３を挿入する際、フェルール３を１８０度回転させて左右の心線２ａ，２ｂを入れ替えることもできない。従って、光ファイバコード２の端部にフェルール３を取り付ける際に送信心線と受信心線を間違えてしまうと、後から送信心線と受信心線の入れ替えができないため、光通信ができなくなってしまう。
【００１１】
このため、従来は送信心線と受信心線を間違えたときには、一旦ＭＴ−ＲＪコネクタ１を切断して光ファイバコード２から取り外した後、新たなＭＴ−ＲＪコネクタ１を光ファイバコード１に取り付けて新たなハウジング４に装着するという方法か、或いは、ＳＣ（Ｓｉｎｇｌｅ  ｆｉｂｅｒ  Ｃｏｕｐｌｉｎｇ）コネクタを用いて、ＭＴ−ＲＪからＳＣへの心線変換を行い、光ファイバコード２の左右の心線２ａ，２ｂを入れ替えるという方法しかなかった。従って、せっかく従来のＭＴ−ＲＪコネクタ１が施工性の優れたものであっても、光ＬＡＮサービスの場合、その優位性が薄れてしまう。
【００１２】
また、従来のＭＴ−ＲＪコネクタ１は、接続が失敗した場合、フェルール３をハウジング１４から取り外すことができないため、まるごと捨てることになり、経済性がよくない。
【００１３】
従って本発明は上記の問題点に鑑み、フェルールがハウジングに対して着脱可能であり、また、送信心線と受信心線の入れ替えが可能な多心光ファイバコネクタ及びこれに用いるフェルール取り外し治具を提供することを課題とする。
【００１４】
【課題を解決するための手段】
上記課題を解決する第１発明の多心光ファイバコネクタは、多心の光ファイバコードの端部に取り付けられたフェルールと、このフェルールを嵌挿する嵌挿穴が設けられたハウジングとを有してなる多心光ファイバコネクタにおいて、
前記ハウジングの両側面に設けられた一対の嵌入穴と、
前記フェルールの両側面に設けられ、前記嵌挿穴への挿入方向と逆方向に向かって外側に広がり且つ弾性を有し、前記嵌挿穴に前記フェルールを差し込んだときに前記嵌入穴に嵌入される一対のラッチとを有してなる着脱機構により、
前記フェルールが前記ハウジングに対して着脱可能となっていることを特徴とする。
【００１５】
また、第２発明の多心光ファイバコネクタは、第１発明の多心光ファイバコネクタにおいて、
前記フェルールの横断面形状及び前記嵌挿穴の横断面形状を対称形とすることにより、前記フェルールを１８０度回転して前記嵌挿穴に差し込み可能としたことを特徴とする。
【００１６】
また、第３発明の多心光ファイバコネクタは、第２発明の多心光ファイバコネクタにおいて、
前記フェルールの一方の表面と他方の表面には、それぞれ異なるマークが付けられていることを特徴とする。
【００１７】
また、第４発明のフェルール取り外し治具は、第１、第２又は第３発明の多心光ファイバコネクタに用いられるフェルール取り外し治具であって、Ｃ字状に形成され且つ弾性を有し、両側の先端部が、前記嵌入穴に外側から挿入されて前記ラッチを内側に押し込むことにより、前記ラッチを前記嵌入穴から外すように構成したことを特徴とする。
【００１８】
【発明の実施の形態】
以下、本発明の実施の形態を図面に基づき詳細に説明する。
【００１９】
図１は本発明の実施の形態に係るＭＴ−ＲＪコネクタの構成を示す斜視図、図２は前記ＭＴ−ＲＪコネクタのフェルールの無方向性を示す説明図、図３は前記フェルールの装着時の様子を示す説明図、図４は前記フェルールの取り外し時の様子を示す説明図である。
【００２０】
図１に示すように、本実施の形態のＭＴ−ＲＪコネクタ１１は、プラスチックなどの材料からなるｍｉｎｉ−ＭＴフェルール１３とハウジング１４とを有してなる多心光ファイバコネクタである。フェルール１３は多心（２心）の光ファイバコード１２の端部に取り付けられており、その先端面１３ａには光ファイバコード１２の光ファイバ心線１２ａ，１２ｂの先端が露出し、また、ガイドピン１５ａ，１５ｂが装着されている。
【００２１】
このフェルール１３をハウジング１４の嵌挿穴１４ａに差し込む（嵌め込む）ことにより、フェルール１３とハウジング１４とが一体的に結合されている。
【００２２】
ハウジング１４にはバネ部１４ｂが形成されており、このバネ部１４ｂの途中には、アダプタ１６の嵌入穴１６ｂに嵌入するラッチ１４ｃが形成され、先端部にはラッチ１４ｃを嵌入穴１６ｂから外すためのボタン１４ｄが形成されている。また、ハウジング１４には、前方にスライドして、ボタン１４ｄによるラッチ１４ｃの取り外し操作を阻止するためのロックキー１４ｅも設けられている。なお、図中の２０は光ファイバコード１２の端部を保護するために同端部に装着されたブーツである。ＭＴ−ＲＪコネクタ１１の外観寸法や、組み立て方法は従来のＭＴ−ＲＪコネクタと同じである。
【００２３】
このようなＭＴ−ＲＪコネクタ１１が取り付けられた光ファイバコード１２を、他の光ファイバコードと結合する際には、アダプタ１６を介してＭＴ−ＲＪコネクタ１１と、図示しない他の光ファイバコードが接続されたプラグ１７とを結合する。具体的には、横断面形状が凸状に形成されたＭＴ−ＲＪコネクタ１１の挿入部を、横断面形状が凸状に形成されたアダプタ１６の嵌挿穴１６ａに矢印Ａのように一方側から挿入して、ハウジング１４のラッチ１４ｃをアダプタ１６の嵌入穴１６ｂに嵌入させる。一方、横断面形状が凸状に形成されたプラグ１７は、矢印Ｂのように他方側から嵌挿穴１６ａに挿入して、プラグ１７の図示しないガイド穴にフェルール１３のガイドピン１５ａ，１５ｂを挿入する。
【００２４】
そして、図２に示すように、フェルール１３の横断面形状は矩形状であり、縦横が対称形となっている。更に、フェルール１３の一方の表面１３ｂと他方の表面１３ｃには、それぞれ異なるマーク１８ａ，１８ｂ（図示例ではアルファベットのＡ，Ｂ）が付けられている。一方、ハウジング１４においても、フェルール１３の横断面形状に合わせて、嵌挿穴１４ａの横断面形状を矩形状とし、縦横が対称形となっている。
【００２５】
従って、フェルール１３をハウジング１４に装着する際、フェルール１３は、図２（ａ）に示すように一方の表面１３ｂ（マーク１８ａ）を上にした状態でハウジング１４の嵌挿穴１４ａに矢印Ｃのように差し込む（嵌め込む）こともできるし、図２（ｂ）に示す矢印Ｄのように１８０度回転させて、図２（ｃ）に示すように他方の表面１３ｃ（マーク１８ｂ）を上にした状態でハウジング１４の嵌挿穴１４ａに矢印Ｃのように差し込む（嵌め込む）こともできる。即ち、フェルール１３は無方向性となっている。
【００２６】
また、図１、図３及び図４に示すように、ハウジング１４は横断面形状が矩形状であり、この両側面１４ｆ，１４ｇに一対の嵌入穴１４ｈ，１４ｉが形成されている。一方、フェルール１３の両側面１３ｄ，１３ｅには、一対のラッチ１３ｆ，１３ｇが、ハウジング１４の嵌入穴１４ｈ，１４ｉの位置に対応して設けられている。これらのラッチ１３ｆ，１３ｇは、フェルール１３の本体部１３ｈと一体的にプラスチック或いは金属などで形成され、ハウジング１４への挿入方向（矢印Ｃ方向）と逆方向に向かって外側に広がり（ハの字状となり）、且つ、弾性を有する板バネ状のものである。
【００２７】
従って、光ファイバコード１２の端部に取り付けられたフェルール１３をハウジング１４に装着する際には、図３（ａ）に示すようにフェルール１３を、ハウジング１４の嵌挿穴１４ａへ矢印Ｃのように一方側から差し込む。このとき、図３（ｂ）に示すようにフェルール１３は、ラッチ１３ｆ，１３ｇが嵌挿穴１４ａの内面に押圧されて内側に撓むことにより、両側面１３ｄ，１３ｅと略面一になるため、容易に嵌挿穴１４ａに差し込むことができる。そして、更にフェルール１３を嵌挿穴１４ａに差し込むと、ついには図３（ｃ）に示すようにフェルール１３のラッチ１３ｆ，１３ｇが、ハウジング１４の嵌入穴１４ｈ，１４ｉの位置に達し、弾性によって再び外側に広がることにより、嵌入穴１４ｈ，１４ｉにそれぞれ内側から嵌入される。かくして、フェルール１３がハウジング１４に装着される。
【００２８】
一方、フェルール１３をハウジング１４から取り外す際には、図４（ａ）に示すようにＭＴ−ＲＪコネクタ１１専用のフェルール取り外し治具３１を容易する。このフェルール取り外し治具３１は金属などでＣ字状に形成されて、弾性を有するものであり、通常の撓まない状態では両側の先端部３１ａ，３１ｂの間隔が、ハウジング１４の幅よりも少し広くなっている。
【００２９】
そして、このフェルール取り外し治具３１を作業員が手で持って強く握ると、フェルール取り外し治具３１は図４（ａ）の矢印Ｅ，Ｆのように内側（先端部３１ａ，３１ｂの間隔が狭まる方向）に撓み、図４（ｂ）に示すように先端部３１ａ，３１ｂが、ハウジング１４の嵌入穴１４ｈ，１４ｉに外側から挿入されて、フェルール１３のラッチ１３ｆ，１３ｇを内側に押し込む。その結果、ラッチ１３ｆ，１３ｇは、内側に撓み、フェルール１３の両側面１３ｄ，１３ｅと略面一になる、或いは、同側面１３ｄ，１３ｅよりも内側に入り込むため、嵌入穴１４ｈ，１４ｉから外れる（ロックが解除される）。
【００３０】
従って、この状態で作業員が図４（ｃ）の矢印Ｇのようにフェルール１３をハウジング１４から引っ張れば、容易にフェルール１３をハウジング１４から引き抜くことができる。かくして、ハウジング１４からフェルール１３が取り外される。また、フェルール取り外し治具３１を握る作業員の手を緩めれば、フェルール取り外し治具３１は、弾性により図４（ａ）示すような元の状態に復帰する。
【００３１】
以上のように、本実施の形態のＭＴ−ＲＪコネクタ１１は、ハウジング１４の両側面１４ｆ，１４ｇに設けられた一対の嵌入穴１４ｈ，１４ｉと、フェルール１３の両側面１３ｄ，１３ｅに設けられ、嵌挿穴１４ｈ，１４ｉへの挿入方向と逆方向に向かって外側に広がり且つ弾性を有し、ハウジング１４の嵌挿穴１４ａにフェルール１３を差し込んだときに嵌入穴１４ｈ，１４ｉに嵌入される一対のラッチ１３ｆ，１３ｇとを有してなる着脱機構により、フェルール１３がハウジング１４に対して着脱可能となっている。
【００３２】
このため、万が一、接続が失敗した場合でも、当該フェルール１３をハウジング１４から取り外して、新たなフェルール１３を光ファイバコード１２の端部に取り付けて再度ハウジング１４に装着することができる。即ち、フェルール１３を交換するだけでよく、ハウジング１４などの他のパーツは再利用が可能である。しかも、ラッチ１３ｆ，１３ｇと嵌入穴１４ｈ，１４ｉとを有してなる着脱機構は、フェルール１３をハウジング１４の嵌挿穴１４ａに差し込むだけで装着することができ、且つ、ラッチ１３ｆ，１３ｇを押さえ込んでフェルール１３を嵌挿穴１４ａから引き抜くだけで取り外しができるため、着脱作業が非常に容易である。従って、本実施の形態のＭＴ−ＲＪコネクタ１１は、非常に高い施工性と経済性を実現することができる。
【００３３】
更には、フェルール１３の横断面形状及びハウジング１４の嵌挿穴１４ａの横断面形状を対称形とすることにより、フェルール１３を１８０度回転して嵌挿穴１４ａに差し込み可能としたため、フェルール１３と光ファイバコード１２の接続をやり直したり、ＳＣコネクタを用いたりすることなく、単にフェルール１３を１８０度回転させてハウジング１４に差し込むだけで送信心線と受信心線（左右の心線１２ａ，１２ｂ）の入れ替えを行うことができる。このため、光ＬＡＮなどの構築時に心線の変更が非常に容易になる。従って、より高い施工性と経済性を実現することができる。
【００３４】
また、フェルール１３の一方の表面１３ｃと他方の表面１３ｄには、それぞれ異なるマーク１８ａ，１８ｂが付けられているため、フェルール１３が１８０度回転したことを、確実且つ容易に確認することができる。
【００３５】
また、Ｃ字状に形成され且つ弾性を有し、両側の先端部３１ａ，３１ｂが、ハウジング１４の嵌入穴１４ｈ，１４ｉに外側から挿入されてフェルール１３のラッチ１３ｆ，１３ｇを内側に押し込むことにより、ラッチ１３ｆ，１３ｇを嵌入穴１４ｈ，１４ｉから外すように構成した専用のフェルール取り外し治具３１を用いることにより、ハウジング１４からのフェルール１３の取り外し作業を容易に行うことができる。
【００３６】
なお、本発明のＭＴ−ＲＪコネクタは、全２重通信を行う光ＬＡＮ（１００ＢＡＳＥ−ＦＸ、１０００ＢＡＳＥ−ＳＸ、１０００ＢＡＳＥ−ＬＸ、１０００ＢＡＳＥ−ＸＤ、１０００ＢＡＳＥ−ＺＸ、ＡＴＭ−ＬＡＮ、次世代の１０ＧｉｇａＢｉｔＥｔｈｅｒｎｅｔなど）に使用される部品である。また、本発明のＭＴ−ＲＪコネクタは通常のＭＴ−ＲＪコネクタとしても、光接続に使用することができる。また、本発明のＭＴ−ＲＪコネクタは、ＳＭＦ（Ｓｉｎｇｌｅ  Ｍｏｄｅ  Ｆｉｂｅｒ）同士の接続と、ＭＭＦ（Ｍｕｌｔｉ  Ｍｏｄｅ  Ｆｉｂｅｒ）同士の接続のどちらでも対応することができる。
【００３７】
【発明の効果】
以上、本発明の実施の形態とともに具体的に説明したように、第１発明の多心光ファイバコネクタによれば、多心の光ファイバコードの端部に取り付けられたフェルールと、このフェルールを嵌挿する嵌挿穴が設けられたハウジングとを有してなる多心光ファイバコネクタにおいて、前記ハウジングの両側面に設けられた一対の嵌入穴と、前記フェルールの両側面に設けられ、前記嵌挿穴への挿入方向と逆方向に向かって外側に広がり且つ弾性を有し、前記嵌挿穴に前記フェルールを差し込んだときに前記嵌入穴に嵌入される一対のラッチとを有してなる着脱機構により、前記フェルールが前記ハウジングに対して着脱可能となっていることを特徴とするため、万が一、接続が失敗した場合でも、当該フェルールをハウジングから取り外して、新たなフェルールを光ファイバコードの端部に取り付けて再度ハウジングに装着することができる。即ち、フェルールを交換するだけでよく、ハウジングなどの他のパーツは再利用が可能である。しかも、ラッチと嵌入穴とを有してなる着脱機構は、フェルールをハウジングの嵌挿穴に差し込むだけで装着することができ、且つ、ラッチを押さえ込んでフェルールを嵌挿穴から引き抜くだけで取り外しができるため、着脱作業が非常に容易である。従って、第１発明の多心光ファイバコネクタは、非常に高い施工性と経済性を実現することができる。
【００３８】
また、第２発明の多心光ファイバコネクタによれば、第１発明の多心光ファイバコネクタにおいて、前記フェルールの横断面形状及び前記嵌挿穴の横断面形状を対称形とすることにより、前記フェルールを１８０度回転して前記嵌挿穴に差し込み可能としたことを特徴とするため、フェルールと光ファイバコードの接続をやり直したり、ＳＣコネクタを用いたりすることなく、単にフェルールを１８０度回転させてハウジングに差し込むだけで送信心線と受信心線の入れ替えを行うことができる。このため、光ＬＡＮなどの構築時に心線の変更が非常に容易になる。従って、より高い施工性と経済性を実現することができる。
【００３９】
また、第３発明の多心光ファイバコネクタによれば、第２発明の多心光ファイバコネクタにおいて、前記フェルールの一方の表面と他方の表面には、それぞれ異なるマークが付けられていることを特徴とするため、フェルールが１８０度回転したことを、確実且つ容易に確認することができる。
【００４０】
また、第４発明のフェルール取り外し治具によれば、第１、第２又は第３発明の多心光ファイバコネクタに用いられるフェルール取り外し治具であって、Ｃ字状に形成され且つ弾性を有し、両側の先端部が、前記嵌入穴に外側から挿入されて前記ラッチを内側に押し込むことにより、前記ラッチを前記嵌入穴から外すように構成したことを特徴とするため、ハウジングからのフェルールの取り外し作業を容易に行うことができる。
【図面の簡単な説明】
【図１】本発明の実施の形態に係るＭＴ−ＲＪコネクタの構成を示す斜視図である。
【図２】前記ＭＴ−ＲＪコネクタのフェルールの無方向性を示す説明図である。
【図３】前記フェルールの装着時の様子を示す説明図である。
【図４】前記フェルールの取り外し時の様子を示す説明図である。
【図５】従来のＭＴ−ＲＪコネクタの構成を示す斜視図である。
【符号の説明】
１１  ＭＴ−ＲＪコネクタ
１２  光ファイバコード
１２ａ，１２ｂ  心線
１３  フェルール
１３ａ  先端面
１３ｂ，１３ｃ  表面
１３ｄ，１３ｅ  側面
１３ｆ，１３ｇ  ラッチ
１３ｈ  本体部
１４  ハウジング
１４ａ  嵌挿穴
１４ｂ  バネ部
１４ｃ  ラッチ
１４ｄ  ボタン
１４ｅ  ロックキー
１４ｆ，１４ｇ  側面
１４ｈ，１４ｉ  嵌入穴
１５ａ，１５ｂ  ガイドピン
１６  アダプタ
１６ａ  嵌挿穴
１６ｂ  嵌入穴
１７  プラグ
１８ａ，１８ｂ  マーク
２０  ブーツ
３１  フェルール取り外し治具
３１ａ，３１ｂ  先端部
【図１】
2005017419.tif 000003
【図２】
2005017419.tif 000004
【図３】
2005017419.tif 000005
【図４】
2005017419.tif 000006
【図５】
2005017419.tif 000007